(57)【要約】      （修正有）【課題】複数の治療のうち選択された治療用信号以外の信号の出力を確実に停止することができる複合型電子治療器を提供する。【解決手段】治療の種類の選択する操作手段１４と、異なるタイプの治療を行うための治療用電気信号を発生する複数の治療用電気信号発生手段１０，１２と、前記複数の治療用電気信号発生手段の各出力信号が出力される複数対の出力端子２０，２１，２２，２３と、前記複数対の出力端子における各一対の出力端子のうち接地用の出力端子を接地状態、もしくは非接地状態に切り換える切換手段１６と、操作手段の出力に基づいて前記複数の治療用電気信号発生手段のうち、選択された治療に対応する治療用電気信号発生手段の出力信号が出力される一対の出力端子のうちの接地用端子のみを接地状態にし、残りの出力端子の全ての接地用出力端子を非接地状態にするように切り換えるように前記切換手段を制御する制御手段１５とを有する。【選択図】図１
2009034321.tif 000002
【特許請求の範囲】
【請求項１】
複数の治療を１台で行うようにした複合型電子治療器において、
治療の種類の選択するための操作手段と、
異なるタイプの治療を行うための治療用電気信号を発生する複数の治療用電気信号発生手段と、
前記複数の治療用電気信号発生手段の各出力信号が出力される複数対の出力端子と、
前記複数対の出力端子における各一対の出力端子のうち接地用の出力端子を接地状態、もしくは非接地状態に切り換える切換手段と、
操作手段の出力に基づいて前記複数の治療用電気信号発生手段のうち、選択された治療に対応する治療用電気信号発生手段の出力信号が出力される一対の出力端子のうちの接地用端子のみを接地状態にし、残りの出力端子の全ての接地用出力端子を非接地状態にするように切り換えるように前記切換手段を制御する制御手段と、
を有することを特徴とする複合型電子治療器。
【請求項２】
複数の治療を１台で行うようにした複合型電子治療器において、
治療の種類及び治療用信号の出力レベルを選択するための操作手段と、
異なるタイプの治療を行うための治療用電気信号を発生する複数の治療用電気信号発生手段と、
前記複数の治療用電気信号発生手段の各々に対応して設けられ、前記複数の治療用電気信号発生手段の出力を調整する複数の出力調整手段と、
前記複数の出力調整手段の各出力信号が出力される複数対の出力端子と、
前記複数対の出力端子における各一対の出力端子のうち接地用の出力端子を接地状態、もしくは非接地状態に切り換える切換手段と、
操作手段の出力に基づいて前記複数の治療用電気信号発生手段のうち、選択された治療に対応する治療用電気信号発生手段の出力信号を選択された出力レベルに調整するように前記出力調整手段を制御し、かつ該出力調整手段の出力信号が出力される一対の出力端子のうちの接地用端子のみを接地状態にし、残りの出力端子の全ての接地用出力端子を非接地状態にするように切り換えるように前記切換手段を制御する制御手段と、
を有することを特徴とする複合型電子治療器。
【発明の詳細な説明】
【技術分野】
【０００１】
本発明は、低周波タイプ、電界タイプ等、異なるタイプの治療を１台で行うことができる複合型電子治療器に関する。
【背景技術】
【０００２】
電子治療器の概略構成を図３に示す。一般に電子治療器は、治療用電気信号を発生する治療用電気信号発生手段１００と、治療用電気信号発生手段１００の出力を調整し、導子が接続される出力端子１０２、１０３に出力する出力調整手段１０１とを有している。
異なるタイプの治療を１台の電子治療器で行うには、複合型にすればよい。例えば、図３に示した構成の回路を、複数、１台の電子治療器の筐体に収容することが考えられる。
【０００３】
従来のこの種の複合型電子治療器として、人体に超短波の電磁波をあてて温熱治療を行う超短波治療器と、人体に高電圧を印加して酸性に傾いた血液を弱アルカリ性にするための電位治療器とを複合した複合型電子治療器が知られている。
【０００４】
この複合型電子治療器では、独立した超短波出力端子と電位出力端子とを備え、超短波治療を行うときは超短波出力端子に超短波導子ケーブルのプラグを接続し、電位治療を行うときは、電位出力端子に電位導子ケーブルのプラグを接続して使用するように構成されている。
【０００５】
したがって、超短波治療を行うか、電位治療を行うかによって、使用する導子を該当する出力端子に接続する必要が有り、複数の出力端子があるので、ケーブルの接続を誤ることが多く、特に高齢者にとっては取り扱いが面倒である。
そこで、導子の接続切り換えの手間を不要とし、電気信号の出力端子における誤接続を解消するようにした複合型電子治療器が提案されている（特許文献１を参照。）
【０００６】
この複合型電子治療器の構成を図４に示す。同図において、１１１は電源部、１１２は操作ボタンやスイッチを備えた操作部、１１３は表示部であり、１１４は制御回路である。制御回路１１４によって制御される超短波出力回路１１５と電位出力回路１１６の出力は、高耐圧リレー１１７による出力切換え回路を通じて出力端子１１８に接続した導子（図示せず）に出力される。
【０００７】
高耐圧リレー１１７は制御回路１１４によって制御され、操作部１１２から超短波開始信号が制御回路１１４に入力されたときは、高耐圧リレー１１７を超短波出力回路１１５側に切り換えて超短波出力回路１１５と出力端子１１８を導通させ、電位開始信号が入力されたときは、高耐圧リレー１１７を電位出力回路１１６側に切換えて電位出力回路１１６と出力端子１１８を導通させるように構成されている。
【０００８】
操作部１１２には、図示は省略するが超短波開始ボタンと電位開始ボタンの他に、電源入切りボタン、タイマー設定ボタン、超短波レベル調節ボタン、電位治療の電圧設定ボタンと自動コース選択ボタン等の複数の操作ボタンが備えられており、各種操作ボタンによる設定値は表示部１１３に表示される。
【０００９】
超短波開始ボタンを押すと、超短波出力回路１１５から約２７ＭＨｚの超短波が超短波レベル調節ボタンで設定した電圧で、タイマー設定ボタンにより設定した時間出力され、導子を装着した人体の細胞を振動させて温める温熱治療が行われる。
【００１０】
電位開始ボタンを押すと、電位出力回路１１６から電圧設定ボタンで設定した電圧（例えば、３０００Ｖ，６０００Ｖ，９０００Ｖ）が、タイマー設定ボタンにより設定した時間出力され、電位出力回路１１６の一方の電極に接続されている出力端子から導子を通じて人体に数千ボルトの高電位が作用して電位治療が行われる。
【特許文献１】特開２０００−２７１２３０号公報
【発明の開示】
【発明が解決しようとする課題】
【００１１】
ところで、上述したような複合型電子治療器にでは複数の異なるタイプの治療を行うことができるが、治療によっては、複数の異なる治療を同時に行うと、生体に危険を及ぼす場合が有り、禁止されている。
このような点を考慮して、上述した複合型電子治療器において、２つの治療用電気信号を選択的に出力する場合に、一方の出力しない側の信号出力が出力調整手段により出力されないように調整することが考えられる。
【００１２】
ところが、２系統の治療用電気信号の出力系を有する複合型電子治療器では、信号の回り込みが時に、生じることが有り得る。図５は、２つの異なるタイプの電子治療器を複合した複合型電子治療器の要部の構成を示している。同図において、この複合型電子治療器は、第１の治療用電気信号発生手段２００の出力端は出力調整手段としての可変抵抗器ＶＲ１を介して導子が接続されるコネクタ端子２０２に信号線２１０により接続されている。
【００１３】
また、第２の治療用電気信号発生手段２０１の出力端は出力調整手段としての可変抵抗器ＶＲ２を介して導子が接続されるコネクタ端子２０３に信号線２１１により接続されている。
２１２は、接地線であり、信号線２１０と接地線２１２との間に、コンデンサＣ１が、また接地線２１２と信号線２１１との間に抵抗Ｒ１がそれぞれ、ノイズ対策用に設けられている。
【００１４】
上記構成において、図５に示すように、可変抵抗器ＶＲ１は出力を絞るように調整されており、それ故コネクタ端子２０２には、第１の治療用電気信号発生手段２００が出力されていない状態にある。
一方、可変抵抗器ＶＲ２は出力が抵抗値が低くなるように設定されているために第２の治療用電気信号発生手段２０１からコネクタ端子２０３に治療用電気信号が出力されている状態にある。
【００１５】
このとき、第１の治療用電気信号発生手段２００の出力端よりノイズ対策用に設けられたコンデンサＣ１及び抵抗Ｒ１を介して出力コネクタ２０３に出力を絞った筈の第１の治療用電気信号発生手段２００の治療用電気信号が出力されてしまうことがある。
【００１６】
本発明は、このような事情に鑑みてなされたものであり、複数の治療のうち選択された治療用信号以外の信号の出力を確実に停止することができる複合型電子治療器を提供することを目的とする。
【課題を解決するための手段】
【００１７】
上記目的を達成するために本発明の複合型電子治療器は、複数の治療を１台で行うようにした複合型電子治療器において、治療の種類の選択するための操作手段と、異なるタイプの治療を行うための治療用電気信号を発生する複数の治療用電気信号発生手段と、前記複数の治療用電気信号発生手段の各出力信号が出力される複数対の出力端子と、前記複数対の出力端子における各一対の出力端子のうち接地用の出力端子を接地状態、もしくは非接地状態に切り換える切換手段と、操作手段の出力に基づいて前記複数の治療用電気信号発生手段のうち、選択された治療に対応する治療用電気信号発生手段の出力信号が出力される一対の出力端子のうちの接地用端子のみを接地状態にし、残りの出力端子の全ての接地用出力端子を非接地状態にするように切り換えるように前記切換手段を制御する制御手段とを有することを特徴とする。
【００１８】
上記構成からなる本発明の複合型電子治療器では、使用者が操作手段を操作して治療の種類を選択すると、異なるタイプの治療を行うための治療用電気信号を発生する複数の治療用電気信号発生手段の各出力信号が出力される複数対の出力端子のうち、操作手段により選択された治療に対応する治療用電気信号発生手段の出力信号が出力される一対の出力端子のうちの接地用端子のみを接地状態にし、残りの出力端子の全ての接地用出力端子を非接地状態にするように切換手段が制御手段により制御される。
したがって、複数の治療のうち選択された治療に使用される治療用信号以外の信号の出力を確実に停止することができる。
【００１９】
また、本発明の複合型電子治療器は、複数の治療を１台で行うようにした複合型電子治療器において、治療の種類及び治療用信号の出力レベルを選択するための操作手段と、異なるタイプの治療を行うための治療用電気信号を発生する複数の治療用電気信号発生手段と、前記複数の治療用電気信号発生手段の各々に対応して設けられ、前記複数の治療用電気信号発生手段の出力を調整する複数の出力調整手段と、前記複数の出力調整手段の各出力信号が出力される複数対の出力端子と、前記複数対の出力端子における各一対の出力端子のうち接地用の出力端子を接地状態、もしくは非接地状態に切り換える切換手段と、操作手段の出力に基づいて前記複数の治療用電気信号発生手段のうち、選択された治療に対応する治療用電気信号発生手段の出力信号を選択された出力レベルに調整するように前記出力調整手段を制御し、かつ該出力調整手段の出力信号が出力される一対の出力端子のうちの接地用端子のみを接地状態にし、残りの出力端子の全ての接地用出力端子を非接地状態にするように切り換えるように前記切換手段を制御する制御手段とを有することを特徴とする。
【００２０】
上記構成からなる本発明の複合型電子治療器では、使用者が操作手段を操作して治療の種類及び治療用信号の出力レベルを選択すると、選択された治療に対応する治療用電気信号発生手段の出力信号を選択された出力レベルに調整するように前記選択され治療に対応する治療用電気信号発生手段に対応して設けられた出力調整手段が制御手段により制御され、かつ該出力調整手段の出力信号が出力される一対の出力端子のうちの接地用端子のみを接地状態にし、残りの出力端子の全ての接地用出力端子を非接地状態にするように切り換えるように切換手段が制御手段により制御される。
したがって、複数の治療のうち選択された治療に使用される治療用信号以外の信号の出力を確実に停止することができる。
【発明の効果】
【００２１】
以上説明したように、本発明の複合型電子治療器によれば、使用者が操作手段を操作して治療の種類を選択すると、異なるタイプの治療を行うための治療用電気信号を発生する複数の治療用電気信号発生手段の各出力信号が出力される複数対の出力端子のうち、操作手段により選択された治療に対応する治療用電気信号発生手段の出力信号が出力される一対の出力端子のうちの接地用端子のみを接地状態にし、残りの出力端子の全ての接地用出力端子を非接地状態にするように切換手段が制御手段により制御されるので、複数の治療のうち選択された治療に使用される治療用信号以外の信号の出力を確実に停止することができる。
【００２２】
また、使用者が操作手段を操作して治療の種類及び治療用信号の出力レベルを選択すると、選択された治療に対応する治療用電気信号発生手段の出力信号を選択された出力レベルに調整するように前記選択され治療に対応する治療用電気信号発生手段に対応して設けられた出力調整手段が制御手段により制御され、かつ該出力調整手段の出力信号が出力される一対の出力端子のうちの接地用端子のみを接地状態にし、残りの出力端子の全ての接地用出力端子を非接地状態にするように切り換えるように切換手段が制御手段により制御されるので、複数の治療のうち選択された治療に使用される治療用信号以外の信号の出力を確実に停止することができる。
【発明を実施するための最良の形態】
【００２３】
以下、本発明の実施形態を、図面を参照して詳細に説明する。本発明の実施形態に係る複合型電子治療器の構成を図１に示す。本実施形態に係る複合型電子治療器は、タイプの異なる２つの電子治療器、例えば、高周波治療器と電位治療器とを複合したものを例にとり、説明するが、これに限らず、３つ以上の電子治療器を複合しても同様に適用できるものである。
【００２４】
図１において、本発明の実施形態に係る複合型電子治療器１は、タイプの異なる治療を行うための治療用電気信号を発生する、第１の治療用電気信号発生手段１０と、第２の治療用電気信号発生手段１２とを有している。
また、本発明の実施形態に係る複合型電子治療器１は、第１の出力調整手段１１と、第２の出力調整手段と、操作手段１４と、制御手段１５と、切換手段１６と、第１の治療用電気信号発生手段１０の出力信号が出力される一対の出力端子２０，２１と、第２の治療用電気信号発生手段１２の出力信号が出力される一対の出力端子２２、２３とを有している。
【００２５】
第１の治療用電気信号発生手段１０は、電位治療用の電気信号を生成し、出力する。
第１の出力調整手段１１は、制御手段１５の制御下に第１の治療用電気信号発生手段１０の出力信号の出力レベルを調整し、導子が接続される出力端子２０に出力する。
【００２６】
第２の治療用電気信号発生手段１２は、高周波治療用の電気信号を生成し、出力する。
第２の出力調整手段１３は、制御手段１５の制御下に第２の治療用電気信号発生手段１２の出力信号の出力レベルを調整し、導子が接続される出力端子２０に出力する。
【００２７】
切換手段１６は、第１の治療用電気信号発生手段１０の出力信号が出力される一対の出力端子２０，２１のうちの接地用出力端子２１と、第２の治療用電気信号発生手段１２の出力信号が出力される一対の出力端子２２，２３のうちの接地用出力端子２２とを制御手段１５の制御下に接地状態、もしくは非接地状態となるように切り換える機能を有している。
【００２８】
切換手段１６は、接点ａ，ｂ，ｃ，ｄ，ｅ，ｆと、可動片１６Ａ，１６Ｂとを有し、接点ｅ，ｆは接続され、接地されている。
可動片１６Ａは接点ｅを支点にして通常（制御信号が入力されていない状態）は接点ａ側に接触しており、制御手段１５からの制御信号を受けて接点ａ，ｂのいずれかに切り換える。
【００２９】
また、可動片１６Ｂは接点ｆを支点にして通常（制御信号が入力されていない状態）は接点ｃ側に接触しており、制御手段１５からの制御信号を受けて接点ｃ，ｄのいずれかに切り換える。
操作手段１４は、図２に示すように、電源のＯＮ，ＯＦＦを行う電源スイッチ１４０、治療の種類、すなわち電位治療か、高周波治療かを選択するための電位治療選択スイッチ１４１、高周波治療選択スイッチ１４２、各治療用電気信号の出力レベル（強、中、弱）を選択する出力スイッチ１４３Ａ，１４３Ｂ，１４３Ｃを有している。
【００３０】
制御手段１５は、操作手段１４の出力を受け、各部の制御を行う。すなわち、制御手段１５は、操作手段１４の出力に基づいて第１、第２の治療用電気信号発生手段１０、１２のうち、選択された治療に対応する治療用電気信号発生手段の出力信号を選択された出力レベルに調整するように出力調整手段１１．１３のいずれかを制御し、かつ該出力調整手段の出力信号が出力される一対の出力端子のうちの接地用端子のみを接地状態にし、残りの出力端子の全ての接地用出力端子を非接地状態にするように切り換えるように切換手段１６を制御する機能を有する。
【００３１】
上記構成からなる複合型電子治療器において、使用者が操作手段１４の電源スイッチ１４０をＯＮ状態とし、電位治療選択スイッチ１４１をＯＮ状態とするとともに、出力スイッチ１４３ＢをＯＮ状態とするように、操作手段１４を操作したとする。
【００３２】
制御手段１５は操作手段１４の出力信号を取り込み、該出力信号に基づいて、各部を制御する。すなわち、制御手段１５は操作手段１４の出力信号を取り込み、該出力信号に基づいて、選択された電位治療に対応する第１の治療用電気信号発生手段１０の出力信号を選択された出力レベルに調整するように第１の出力調整手段１１を制御し、かつ該出力調整手段１１の出力信号が出力される一対の出力端子２０、２１のうちの接地用端子２１のみを接地状態にし、残りの出力端子の全ての接地用出力端子（本実施形態では接地用出力端子２２のみ）、を非接地状態にするように切り換えるように切換手段１６を制御する。
【００３３】
第１の治療用電気信号発生手段１０は、制御手段１５からの制御信号を受けて電位治療に適した所定の電圧出力を所定時間出力する。
第１の出力調整手段１１は、制御手段から出力された制御信号に基づいて第１の治療用電気信号発生手段１０から出力された電圧出力を操作手段１４で選択された出力レベルになるように調整する。
【００３４】
また、切換手段１６は、制御手段１５からの制御信号に基づいて第１の出力調整手段１１の出力信号が出力される一対の出力端子２０、２１のうちの接地用端子２１のみを接地状態にし、残りの一対の出力端子２２、２３における接地用出力端子２２を非接地状態にするように切り換える。すなわち、切換手段１６は、可動片１６Ａを接点ａから接点ｂに切り換え、可動片１６Ｂを接点ｃに接触した状態のままとする。
【００３５】
また、使用者が操作手段１４の電源スイッチ１４０をＯＮ状態とし、高周波治療選択スイッチ１４２をＯＮ状態とするとともに、出力スイッチ１４３ＡをＯＮ状態とするように、操作手段１４を操作したとする。
【００３６】
制御手段１５は操作手段１４の出力信号を取り込み、該出力信号に基づいて、各部を制御する。すなわち、制御手段１５は操作手段１４の出力信号を取り込み、該出力信号に基づいて、選択された高周波治療に対応する第２の治療用電気信号発生手段１２の出力信号を選択された出力レベルに調整するように第２の出力調整手段１３を制御し、かつ該出力調整手段１３の出力信号が出力される一対の出力端子２２、２３のうちの接地用端子２２のみを接地状態にし、残りの出力端子の全ての接地用出力端子（本実施形態では接地用出力端子２２のみ）、を非接地状態にするように切り換えるように切換手段１６を制御する。
【００３７】
第２の治療用電気信号発生手段１０は、制御手段１５からの制御信号を受けて高周波治療に適した周波数、時間間隔で所定の高周波信号を所定時間出力する。
【００３８】
第２の出力調整手段１３は、制御手段１５から出力された制御信号に基づいて第２の治療用電気信号発生手段１２から出力された高周波信号を操作手段１４で選択された出力レベルになるように調整する。
【００３９】
また、切換手段１６は、制御手段１５からの制御信号に基づいて第２の出力調整手段１３の出力信号が出力される一対の出力端子２２、２３のうちの接地用端子２２のみを接地状態にし、残りの一対の出力端子２０、２１における接地用出力端子２１を非接地状態にするように切り換える。すなわち、切換手段１６は、可動片１６Ｂを接点ｃから接点ｄに切り換え、可動片１６Ａを接点ａに接触した状態のままとする。
【００４０】
このように、本発明の実施形態に係る複合型電子治療器によれば、選択された治療用信号発生手段が出力される導子側に接続される出力端子のうち接地側端子のみを接地状態とし、選択されていない治療用信号発生手段が出力される導子側に接続される出力端子のうち接地側端子を非接地状態とするようにしたので、複数の治療のうち選択された治療に使用される治療用信号以外の信号の出力を確実に停止することができる。
【図面の簡単な説明】
【００４１】
【図１】本発明の実施形態に係る複合型電子治療器の構成を示すブロック図。
【図２】図１に示した本発明の実施形態に係る複合型電子治療器における操作手段の外観構成を示す図。
【図３】電子治療器の概略構成を示すブロック図。
【図４】従来の複合型電子治療器の構成を示すブロック図。
【図５】従来の複合型電子治療器の問題点を示す説明図。
【符号の説明】
【００４２】
１…複合型電子治療器、１０…第１の治療用電気信号発生手段、１１…第１の出力調整手段、１２…第２の治療用電気信号発生手段、１３…第２の出力調整手段、１４…操作手段、１５…制御手段、１６…切換手段、１００…治療用電気信号発生手段、１０１…出力調整手段、１０２，１０３…出力端子、１１１…電源部、１１２…操作部、１１３…表示部、１１４…制御回路、１１５…超短波出力回路、１１６…電位出力回路、１１７高耐圧リレー、１１８…出力端子、
【図１】
2009034321.tif 000003
【図２】
2009034321.tif 000004
【図３】
2009034321.tif 000005
【図４】
2009034321.tif 000006
【図５】
2009034321.tif 000007